(57)【要約】  【課題】破砕箇所に対する散水効果を高めて、破砕箇所における粉塵の発生・飛散を効率良く抑制し、且つ、構造が簡単であり製造コストを安価にする。  【解決手段】建設機械の作業アタッチメント２４の先端部に、破砕機回動用シリンダ３４によって上下方向に回動される破砕機２９と、該破砕機２９による破砕箇所に水を噴射する散水ノズル２８とを装備して成る散水ノズル付き高所解体機において、破砕機回動用シリンダ３４と作業アタッチメント２４の間に、該破砕機回動用シリンダ３４の伸縮動作に伴い上下方向に回動する回動リンク４７が設けられ、該回動リンク４７の中間部に前記散水ノズル２８が取り付けられていることにより、破砕機２９の回動に同調して該散水ノズル２８の散水方向が変化するように構成した。【選択図】図２
2010046631.tif 000002
【特許請求の範囲】
【請求項１】
建設機械の作業アタッチメントの先端部に、破砕機回動用シリンダによって上下方向に回動される破砕機と、該破砕機による破砕箇所に水を噴射する散水ノズルとを装備して成る散水ノズル付き高所解体機において、前記破砕機回動用シリンダと作業アタッチメントの間に、該破砕機回動用シリンダの伸縮動作に伴い上下方向に回動する回動リンクが設けられ、該回動リンクの中間部に前記散水ノズルが取り付けられていることにより、前記破砕機の回動に同調して該散水ノズルの散水方向が変化して破砕箇所に常に散水できるように構成したことを特徴とする散水ノズル付き高所解体機。
【請求項２】
上記散水ノズルの上向き又は下向き状態における散水は、上記破砕機の上向き又は下向き状態における破砕可動範囲を自在に調整できるように構成されていることを特徴とする請求項１記載の散水ノズル付き高所解体機。
【請求項３】
上記回動リンクの中間部には、複数のタップ孔が所定間隔を有して円環状に並んで刻設され、且つ、該複数のタップ孔と対応する複数の貫通孔を開穿して成る取付部材が上記散水ノズル側に設けられ、前記回動リンクに対する該散水ノズルの上下方向の角度を調整して、各貫通孔を挿通するボルトを前記タップ孔に螺合して締結することにより、前記散水ノズルの散水方向を変更して固定できるように構成したことを特徴とする請求項１又は２記載の散水ノズル付き高所解体機。
【発明の詳細な説明】
【技術分野】
【０００１】
本発明は散水ノズル付き高所解体機に関するものであり、特に、建設機械に搭載された作業アタッチメントに散水ノズル付きの破砕機が装着された散水ノズル付き高所解体機に関するものである。
【背景技術】
【０００２】
従来、コンクリート構造物や家屋などの建造物を破砕機で破砕して高所解体作業（砕石作業を含む）を行う際は、破砕箇所から発生する粉塵が周辺に飛散しないようにするため、該破砕箇所に散水しながら解体作業が行なわれている。この作業で使用される高所解体機としては、作業アタッチメントの先端部に破砕機及び散水ノズルを装着したものが知られている。
【０００３】
前記破砕機は、油圧シャベル等の建設機械に搭載した作業アタッチメントの先端部に装着されている。図１０は、前記作業アタッチメント（アーム１）先端部に装着された破砕機２を示す。同図に示すように、該破砕機２は、クラッシャー部４，４を備えた一対の破砕アーム５，５と、該破砕アーム５，５を開閉自在に支持する支持フレーム６と、該支持フレーム６の右端部に装着された開閉駆動用の油圧シリンダ７とから成る。
【０００４】
又、支持フレーム６の右端側には略Ｌ字形の取付部材８が設けられ、該取付部材８の水平部はアーム１の先端部に上下回動可能に枢着されている。さらに、取付部材８の鉛直部には連結リンク９の左端部が上下回動可能に枢着され、該連結リンク９の右端部に破砕機回動用シリンダ１０のロッド１１が連結ピン１２を介して枢着されている。そして、破砕機回動用シリンダ１０の右端部は、アーム１の上面部に上下回動可能に取り付けられている。
【０００５】
更に、前記連結リンク９右端側の連結ピン１２には回動リンク１３の上端部が枢着され、回動リンク１３の下端部はアーム１の先端部近傍に水平ピン１４を介して枢着されている。又、前記アーム１における水平ピン１４の右方箇所には散水ノズル３が取り付けられ、該散水ノズル３から上記破砕箇所に向かって水Ｗを噴射できるように構成されている。
【０００６】
従って、高所解体作業中に、水平向きの破砕機２の姿勢を上向きに変更する場合は、破砕機回動用シリンダ１０を短縮動作させて支持フレーム６の取付部材８を上方へ回動させることにより、図１１に示すように、支持フレーム６先端側に装着した破砕機２が上向きに変更される。
【０００７】
逆に  上記破砕機２を下向きに変更する場合は、破砕機回動用シリンダ１０を伸長動作させて支持フレーム６の取付部材８を下方へ回動させることにより、図１２に示すように、破砕機２が下向きに変更される（例えば、特許文献１，２参照）。
【特許文献１】特開平９−７８６２３号公報。
【特許文献２】実開平５−５８７５８号公報。
【発明の開示】
【発明が解決しようとする課題】
【０００８】
従来の高所解体機は、破砕機を回動可能に装着した作業アタッチメントの先端部近傍に散水ノズルを固定的に取り付けている。このため、破砕機が上下方向に回動した場合、該破砕機の回動に対して散水ノズルの散水方向が追従することができない。
【０００９】
従って、破砕機を上向き又は下向きに変更させたとき、該破砕機による破砕箇所と散水ノズルによる散水箇所とが互いに異なる。その結果、散水ノズルから噴射された水が、前記破砕箇所に対して位置ずれした箇所に到達するので、該破砕箇所に対する散水効果が不十分になり、前記破砕箇所にて発生する粉塵の飛散を効率良く抑制できないと云う問題があった。
【００１０】
又、上記問題を解決するには、破砕機の取付部分にスイベルジョイントを設けると共に、該スイベルジョイントに散水通路を形成して破砕機の先端部に散水ノズルを取り付けることが提案されている（特許文献２の図２参照）。しかし、この場合は構造が複雑になり、且つ、製造コストの高騰を招く欠点がある。
【００１１】
そこで、上記破砕箇所に対する散水効果を高めて粉塵の発生・飛散を効率良く抑制し、且つ、構造が簡単な散水ノズル付き高所解体機を安価に提供するために解決すべき技術的課題が生じてくるのであり、本発明はこの課題を解決することを目的とする。
【課題を解決するための手段】
【００１２】
本発明は上記目的を達成するために提案されたものであり、請求項１記載の発明は、建設機械の作業アタッチメントの先端部に、破砕機回動用シリンダによって上下方向に回動される破砕機と、該破砕機による破砕箇所に水を噴射する散水ノズルとを装備して成る散水ノズル付き高所解体機において、前記破砕機回動用シリンダと作業アタッチメントの間に、該破砕機回動用シリンダの伸縮動作に伴い上下方向に回動する回動リンクが設けられ、該回動リンクの中間部に前記散水ノズルが取り付けられていることにより、前記破砕機の回動に同調して該散水ノズルの散水方向が変化して破砕箇所に常に散水できるように構成したことを特徴とする散水ノズル付き高所解体機を提供する。
【００１３】
この構成によれば、破砕機回動用シリンダの伸縮動作により破砕機が上下方向に回動すると、同時に回動リンクも上下方向に回動する。このため、回動リンクに取り付けた散水ノズルの散水方向が破砕機の回動に同調して自動的に変化する。従って、該破砕機を上向き又は下向きに変更した場合でも、散水ノズルの散水方向が破砕機の破砕方向に常に略一致するようになる。
【００１４】
請求項２記載の発明では、上記散水ノズルの上向き又は下向き状態における散水は、上記破砕機の上向き又は下向き状態における破砕可動範囲を自在に調整できるように構成されていることを特徴とする請求項１記載の散水ノズル付き高所解体機を提供する。
【００１５】
この構成によれば、破砕機が上方向又は下方向に回動した場合、散水ノズルは破砕機の回動に対応して上向き又は下向きに自在に調整される。依って、散水ノズルの上向き又は下向きの散水可動範囲は、破砕機の上方向又は下方向の散水可動範囲と同調しているため、散水ノズルから噴射された水は、破砕機による破砕箇所全域に万遍なく散水される。
【００１６】
請求項３記載の発明は、上記回動リンクの中間部には、複数のタップ孔が所定間隔を有して円環状に並んで刻設され、且つ、該複数のタップ孔と対応する複数の貫通孔を開穿して成る取付部材が上記散水ノズル側に設けられ、前記回動リンクに対する該散水ノズルの上下方向の角度を調整して、各貫通孔を挿通するボルトを前記タップ孔に螺合して締結することにより、前記散水ノズルの散水方向を変更して固定できるように構成したことを特徴とする請求項１又は２記載の散水ノズル付き高所解体機を提供する。
【００１７】
この構成によれば、散水ノズルを回動リンクの中間部に取り付ける場合は、散水ノズルの取り付け方向が所望の散水方向に合致するように、回動リンクに対する該散水ノズルの上下方向の角度を調整して、該散水ノズル側の各貫通孔と回動リンク側の各タップ孔の位置合わせを行う。次に、複数のボルトを散水ノズル側の各貫通孔に挿通して、回動リンク側の各タップ孔に各ボルトを螺合して締結する。これにより、散水ノズルは所望の散水方向を変更して固定される。
【発明の効果】
【００１８】
請求項１記載の発明は、解体作業中に破砕機を上向き又は下向きに変更させた場合、該破砕機の破砕方向と散水ノズルの散水方向が略一致するので、散水ノズルから噴射される水が破砕機による破砕箇所に常に正確に到達する。従って、該破砕箇所に対して散水ノズルによる散水効果が十分発揮され、前記破砕箇所における塵埃の発生又は周囲への飛散を効率良く抑制することができる。又、破砕機の取付部分にスイベルジョイントや散水通路を設ける必要がないので、構成が簡単であり製造コストの低減化が可能になる。
【００１９】
請求項２記載の発明は、破砕機が上向き又は下向きのいずれに変更されても、散水ノズルから噴射された水は、破砕機による破砕箇所全域に万偏なく散水されるので、請求項１記載の発明の効果に加えて、破砕箇所に対する散水効果を一層顕著に発揮させることができる。
【００２０】
請求項３記載の発明は、散水ノズルの散水方向を変更する場合は、回動リンクに対する散水ノズルの上下角度を調整してボルト締めするだけで済むので、請求項１又は２記載の発明の効果に加えて、構成が簡単でありながら散水ノズルの散水方向を容易迅速に変更することができる。
【発明を実施するための最良の形態】
【００２１】
本発明は、破砕箇所に対する散水ノズルによる散水効果を高めて、粉塵の飛散を効率良く抑制するという目的を達成するために、建設機械の作業アタッチメントの先端部に、破砕機回動用シリンダによって上下方向に回動される破砕機と、該破砕機による破砕箇所に水を噴射する散水ノズルとを装備して成る散水ノズル付き高所解体機において、前記破砕機回動用シリンダと作業アタッチメントの間に、該破砕機回動用シリンダの伸縮動作に伴い上下方向に回動する回動リンクが設けられ、該回動リンクの中間部に前記散水ノズルが取り付けられていることにより、前記破砕機の回動に同調して該散水ノズルの散水方向が変化して破砕箇所に常に散水できるように構成したことにより実現した。
【実施例】
【００２２】
以下、本発明の好適な一実施例を図面に従って説明する。図１は、本実施例に係る散水ノズル付き高所解体機を装備した建設機械としての油圧ショベルを示す全体図である。同図に示すように、油圧ショベル２１は、クローラを備えた下部走行体２２と、該下部走行体２２上に旋回自在に搭載された上部旋回体２３とを備え、該上部旋回体２３の前部に作業アタッチメント２４が起伏自在に設けられている。又、作業アタッチメント２４は、先端部にセカンドブーム２５を有するブーム２６と、前記セカンドブーム２５の先端部に連結されたアーム２７とから成り、該アーム２７の先端部に散水ノズル２８を備えた破砕機２９が装着されている。
【００２３】
上記ブーム２６はブームシリンダ３１の伸縮動作によって起伏し、セカンドブーム２５はセカンドブームシリンダ３２の伸縮動作によって起伏する。又、上記アーム２７はアームシリンダ３３の伸縮動作によって上下方向に揺動し、更に、前記破砕機２９は破砕機回動用シリンダ３４の伸縮動作によって上下方向に回動する。
【００２４】
尚、符号３５は散水ノズル２８に給水するための散水ホースである。該散水ホース３５は作業アタッチメント２６に沿って配設され、該散水ホース３５の右端部分は上記ブーム２６に沿って垂下して給水ポンプ（図示せず）に接続されている。又、上部旋回体２３の上部には、散水ホース３５への給水を開閉操作するためのストップバルブ３６が設置されている。
【００２５】
図２は前記破砕機２９が装着されたアーム２７の先端部分を示す拡大図である。同図に示すように、破砕機２９は、クラッシャー部（剪断刃部）３８，３８を備えた上下一対の破砕アーム３９，３９と、該破砕アーム３９，３９の中間部を開閉自在に支持する支持フレーム４０と、該支持フレーム４０の右端部に装着され、且つ、上下一対の破砕アーム３９，３９の右端部間に架設された破砕アーム開閉駆動用の油圧シリンダ（アクチュエータ）４１とを備えている。依って、油圧シリンダ４１が伸縮又は短縮動作すると、一対の破砕アーム３９，３９は互いに接近又は離反動作するように構成されている。
【００２６】
更に、支持フレーム４０の右端部には略Ｌ字形の取付部材４２が設けられ、該取付部材４２の水平部は、回動ピン４３を介して上記アーム２７の先端部に回動可能に枢着されている。又、取付部材４２の鉛直部には連結リンク４４の左端部が枢着され、該連結リンク４４の右端部に破砕機回動用シリンダ３４のロッド４６が連結ピン４５を介して枢着されている。
【００２７】
そして、破砕機回動用シリンダ３４の右端部は、アーム２７の上面部に上下回動可能に取り付けられている。従って、破砕機回動用シリンダ３４のロッド４６が伸縮又は短縮動作すると、支持フレーム４０の取付部材４２が回動ピン４３を中心として上下方向に回動変位するため、該支持フレーム４０の先端部に装着した破砕機２９も上下方向に回動変位する。
【００２８】
図３に示すように、連結リンク４４の右端部に設けた連結ピン４５には回動リンク４７の上端部が枢着され、該回動リンク４７の下端部はアーム２７の先端部近傍に水平ピン４８を介して枢着されている。図示例では、アーム２７の先端部は、取付部材４２、連結リンク４４及び回動リンク４７と協働して略平行リンク機構を形成している。このため、回動リンク４７と取付部材４２は互いに略平行関係を維持して上下方向に回動する。又、回動リンク４７の上下中間部には、破砕機２９による破砕箇所に向かって水Ｗを噴射できるように、散水ノズル２８が締結固定され、該散水ノズル２８には前記散水ホース３５が接続されている。
【００２９】
従って、破砕機回動用シリンダ３４が伸縮動作すると、回動リンク４７は水平ピン４８を中心として上下方向に回動する。このため、前記回動リンク４７の回動に応じて散水ノズル２８も上下方向に回動する。なお、符号４９は散水ノズル２８を保護するカバーであり、支持フレーム４７の上下中間部に固定されている。
【００３０】
次に、本実施例に係る高所解体機の作用について説明する。図４に示すように、水平向きの破砕機２９によって被解体物（図示せず）を破砕しながら解体作業を行っている途中で、該破砕機２９の姿勢を上向きに変更する場合は、破砕機用回動シリンダ３４を短縮動作させることにより、連結リンク４４を介して支持フレーム４０の取付部材４２を後方側（図４における右方側）に上方回動させる。この取付部材４２の上方回動に伴い、図５に示すように、支持フレーム４０の先端側に設けた破砕機２９が上方に回動して、該破砕機２９の姿勢が上向きに変更される。
【００３１】
これと同時に、破砕機回動用シリンダ３４の短縮動作により、回動リンク４７が上方へ回動するため、それに応じて回動リンク４７に取り付けた散水ノズル２８も上方に回動して、該散水ノズル２８の姿勢が上向きに変更される。このように、破砕機２９が上方に回動すると、これに同調して散水ノズル２８の散水方向が自動的に上向きに変化する。
【００３２】
上記とは反対に、破砕機２９の姿勢を下向きに変更する場合は、破砕機回動用シリンダ３４を伸長動作させることにより、連結リンク４４を介して支持フレーム４０の取付部材４２を前方側（図４における左方側）に下方回動させる。その結果、図６に示すように、破砕機２９が下方に回動して、該破砕機２９の姿勢が下向きに変更される。これと同時に、回動リンク４７が下方へ回動するため、それに応じて散水ノズル２８も下方に回動して、該散水ノズル２８の姿勢が下向きに変更される。
上記の如く本発明によると、解体作業中に破砕機２９を上方又は下方に回動させると、該破砕機２９の回動に同調して散水ノズル２８の散水方向が上向き又は下向きに自動的に追従して変更される。その結果、散水ノズル２８の上向き又は下向きの散水可動範囲は、破砕機２９の上方向又は下方向の散水可動範囲と同調するようになるため、破砕機２９の指向方向が上下方向に変更されても、散水ノズル２８の散水方向は、破砕機２９の指向方向に対して常時ほぼ一致するようになる。
【００３３】
斯くして、散水ノズル２８から噴射された水Ｗは、破砕機２９による破砕箇所に向かって正確に到達するので、該破砕箇所に対する散水効果が十分に発揮される。従って、前記破砕箇所における粉塵の発生及び飛散を効率良く抑制して、該粉塵による周囲環境の汚染が確実に防止される。
【００３４】
さらに、破砕機２９の取付部分にスイベルジョイントや散水通路を設ける必要がないので、製造コストの低減化が可能になるだけでなく、構成が簡単であり、既存の解体機に容易に適用でき高い汎用性を有する。
【００３５】
又、本実施例では、破砕機２９が上向き又は下向きに変更された場合、散水ノズル２８の上向き又は下向き状態における散水は、破砕機２９の上向き又は下向き状態における破砕可動範囲において自在に調整可能に構成することができる。このように構成すると、散水ノズル２８から噴射された水Ｗは、破砕機２９による破砕箇所全域に万偏なく散水されるので、破砕箇所に対する散水効果が一層顕著に発揮される。
【００３６】
図７乃至図９は、回動リンク４７及び散水ノズル２８との取付部分の構成例を示す。図７に示すように、回動リンク４７の中間部に設けた円形部分には、複数のタップ孔５１，５１…が所定間隔を有して円環状に並んで刻設されている。又、図８に示すように、複数のタップ孔５１，５１…と対応する複数の貫通孔５２，５２…を開穿して成る取付部材５３が散水ノズル２８の先端近傍に固設されている。
【００３７】
而して、複数のボルト５４，５４…を散水ノズル２８側の各貫通孔５２，５２…に挿通して、回動リンク４７側の各タップ孔５１，５１…にボルト５４，５４…を螺合させて締結することにより、散水ノズル２８は所望の散水方向を変更して固定される。
【００３８】
図９（a）に示す散水ノズル２８の散水方向を変更する場合は、先ず、複数のボルト５４，５４…を取り外したのち、散水ノズル２８の取付け方向が所望の散水方向に合致するように、回動リンク４７に対する散水ノズル２８の上下方向の角度を調整して、該散水ノズル２８側の各貫通孔５２，５２…と回動リンク４７側の各タップ孔５１，５１…の位置合わせを行う。
【００３９】
次に、図９（b）に示すように、複数のボルト５４，５４…を散水ノズル２８側の各貫通孔５２，５２…に挿通して、回動リンク４７側の各タップ孔５１，５１…に各ボルト５４，５４…を螺合して締結する。これにより、散水ノズル２８は所望の散水方向を変更して固定される。
【００４０】
従って、散水ノズル２８の散水方向を変更する場合は、回動リンク４７に対する散水ノズル２８の上下角度を調整してボルト５４，５４…によって締結するだけで終了するので、構成が簡単でありながら、散水ノズル２８の散水方向を容易迅速に変更することができ。
【００４１】
本発明は、本発明の精神を逸脱しない限り種々の改変を為すことができ、そして、本発明が該改変されたものに及ぶことは当然である。
【図面の簡単な説明】
【００４２】
【図１】本発明の一実施例を示し、高所解体機を装備した油圧ショベルを示す全体側面図。
【図２】図１の油圧ショベルに搭載された作業アタッチメントのアーム先端部分を示す側面図。
【図３】図２の作業アタッチメントのアーム先端部分に装着した散水ノズル周辺部を示す拡大図。
【図４】本発明の一実施例に係る破砕機を水平状態にセットしたときを示す側面図。
【図５】本発明の一実施例に係る破砕機を上向き状態にセットしたときを示す側面図。
【図６】本発明の一実施例に係る破砕機を下向き状態にセットしたときを示す側面図。
【図７】本発明の一実施例に係る回動リンクのタップ孔付近の構成を説明する拡大図。
【図８】本発明の一実施例に係る散水ノズルの貫通孔付近の構成を説明する拡大図。
【図９】本発明の一実施例に係る散水ノズルの取り付け方向を変更するときの状態を示し、（a）は散水ノズルの取り付け方向を変更させる前のときの状態を説明する拡大図、（b）は散水ノズルの取り付け方向を変更させた後のときの状態を説明する拡大図。
【図１０】従来例に係る破砕機を水平状態にセットしたときを示す側面図。
【図１１】従来例に係る破砕機を上向き状態にセットしたときを示す側面図。
【図１２】従来例に係る破砕機を下向き状態にセットしたときを示す側面図。
【符号の説明】
【００４３】
２１  油圧ショベル（建設機械）
２４  作業アタッチメント
２６  ブーム
２７  アーム
２８  散水ノズル
２９  破砕機
３４  破砕機回動用シリンダ
３５  散水ホース
３９  破砕アーム
４０  支持フレーム
４１  油圧シリンダ（アクチュエータ）
４２  取付部材
４３  回動ピン
４４  連結リンク
４５  連結ピン
４６  ロッド
４７  回動リンク
４８  水平ピン
【図１】
2010046631.tif 000003
【図２】
2010046631.tif 000004
【図３】
2010046631.tif 000005
【図４】
2010046631.tif 000006
【図５】
2010046631.tif 000007
【図６】
2010046631.tif 000008
【図７】
2010046631.tif 000009
【図８】
2010046631.tif 000010
【図９】
2010046631.tif 000011
【図１０】
2010046631.tif 000012
【図１１】
2010046631.tif 000013
【図１２】
2010046631.tif 000014